(57)【要約】      （修正有）【課題】厚みの異なる広告表示板のいずれを用いる場合にも、共通の押縁を用いることができ、製造コストを低減できる広告装置を提供する。【解決手段】広告表示板３１の周縁部を支持する支持部２３が立設される額縁フレーム２と、押縁４１を備える。押縁４１は、第１の厚みより厚い第２の厚みの広告表示板３１が用いられる場合、突起４４が広告表示板３１の側端面３１１と孔２１の内周壁面２２との間に配置される姿勢で内周壁面２２に固定され、狭持面４５により広告表示板３１の周縁部と支持部２３を狭持する。押縁４１は、第１の厚みの広告表示板が用いられる場合、突起４４が内周壁面２２から離隔する姿勢で内周壁面２２に固定され、突起４４により広告表示板３１の周縁部と支持部２３を狭持する。【選択図】図４
0003172830.tif 000002
【実用新案登録請求の範囲】
【請求項１】
枠状の額縁フレームであって、広告表示板が配置される孔を形成する前記額縁フレームの内周壁面に、前記額縁フレームの中央側に向かって延びて前記広告表示板の周縁部を支持する支持部が立設されている額縁フレームと、
長手状に形成されるとともに、前記支持部との対向面において長手方向と直交する第１方向の一端側に突起が形成され、かつ前記対向面において前記第１方向の他端側から前記突起基端までの面により狭持面が形成される押縁とを備え、
前記押縁は、
第１の厚みの前記広告表示板が用いられる場合、前記突起が前記内周壁面から離隔する姿勢で前記内周壁面に固定され、前記突起により前記支持部と前記周縁部を狭持し、
前記第１の厚みより厚い第２の厚みの前記広告表示板が用いられる場合、前記突起が前記広告表示板の側端面と前記内周壁面との間に配置される姿勢で前記内周壁面に固定され、前記狭持面の少なくとも一部により前記支持部と前記周縁部を狭持する
ことを特徴とする広告装置。
【請求項２】
請求項１に記載の広告装置において、
前記内周壁面において、前記支持部に近接する位置には、前記広告表示板の側端面と対向する第１側端面対向面が形成され、前記第１側端面対向面と隣接し、かつ前記第１側端面対向面より前記支持部から離隔する位置には、前記第１側端面対向面より枠状の前記額縁フレームの中心から離れる側に没する収容部が形成され、
前記収容部は、前記第２の厚みの広告表示板が用いられる場合、前記第１側端面対向面と、前記突起における前記広告表示板の側端面との第２側端面対向面とが面一となるように、前記突起を含む前記押縁の前記一端側を収容することを特徴とする広告装置。
【請求項３】
請求項２に記載の広告装置において、
前記押縁の前記対向面において、前記突起は、前記一端側の端から離れた位置にあり、
前記収容部は、
前記第２の厚みの広告表示板が用いられる場合に前記突起を収容する第１収容部と、
前記第１収容部より前記額縁フレームの中心から離れる側に没し、前記第２の厚みの広告表示板が用いられる場合、前記押縁において前記突起から前記一端側の部分を収容し、前記第１の厚みの広告表示板が用いられる場合、前記押縁の前記対向面の前記他端側を支持する第２収容部と、を備える
ことを特徴とする広告装置。
【請求項４】
請求項１から請求項３のいずれかに記載の広告装置において、
前記第１の厚みの広告表示板が用いられて前記押縁が、前記突起が前記内周壁面から離隔する姿勢で前記内周壁面に固定される場合、前記突起は、前記支持部の先端よりも前記内周壁面側に位置する、または前記先端と前記内周壁面からの距離が等しい位置にあることを特徴とする広告装置。
【請求項５】
請求項１から請求項４のいずれかに記載の広告装置において、
前記突起の突出量は、前記第１の厚みの広告表示板と、前記第２の厚みの広告表示板との厚みの差に等しい
ことを特徴とする広告装置。
【請求項６】
枠状の額縁フレームであって、広告表示板が配置される孔を形成する前記額縁フレームの内周壁面に、前記額縁フレームの中央側に向かって延びて前記広告表示板の周縁部を支持する支持部が立設されている額縁フレームを備える広告装置に用いられる押縁であって、
長手状に形成されるとともに、前記支持部との対向面において長手方向と直交する第１方向の一端側に突起が形成され、
前記押縁は、
前記広告装置に第１の厚みの前記広告表示板が用いられる場合、前記突起が前記内周壁面から離隔する姿勢で前記内周壁面に固定され、前記突起により前記支持部と前記周縁部を狭持し、
前記広告装置に前記第１の厚みより厚い第２の厚みの前記広告表示板が用いられる場合、前記突起が前記広告表示板の側端面と前記内周壁面との間に配置される姿勢で前記内周壁面に固定され、前記対向面において前記第１方向の他端側から前記突起基端までの面である狭持面の少なくとも一部により、前記支持部と前記周縁部を狭持する
ことを特徴とする押縁。
【請求項７】
請求項６に記載の押縁において、
前記対向面において、前記突起は、前記一端側の端から離れた位置にあり、
前記内周壁面において、前記支持部に近接する位置には、前記広告表示板の側端面と対向する第１側端面対向面が形成され、前記第１側端面対向面と隣接し、かつ前記第１側端面対向面より前記支持部から離隔する位置には、前記第１側端面対向面より枠状の前記額縁フレームの中心から離れる側に没する第１収容部が形成され、前記第１収容部より前記支持部から離隔する位置には、前記第１収容部より前記額縁フレームの中心から離れる側に没する第２収容部が形成され、
前記押縁は、
前記広告装置に前記第１の厚みの前記広告表示板が用いられる場合、前記突起が形成されている側である前記一端側は、前記突起により前記支持部と前記周縁部を狭持し、前記突起から離隔する側である他端側は、前記対向面が、前記対向面と対向する前記第２収容部の支持壁面部に支持され、
前記広告装置に前記第２の厚みの前記広告表示板が用いられる場合、前記一端側は前記第１、第２収容部に収容され、前記他端側は、前記狭持面により前記支持部と前記周縁部を狭持し、前記突起における前記広告表示板の側端面との第２側端面対向面と、前記内周壁面の前記第１側端面対向面とが面一となる
ことを特徴とする広告装置。
【請求項８】
壁面に、板状部材の端部を支持する支持部が立設されている第１部材と、
前記支持部との対向面において第１方向の一端側に突起が形成され、かつ前記対向面において前記第１方向の他端側から前記突起基端までの面により狭持面が形成される押縁とを備え、
前記押縁は、
第１の厚みの前記板状部材が用いられる場合、前記突起が前記壁面から離隔する姿勢で前記壁面に固定され、前記突起により前記支持部と前記端部を狭持し、
前記第１の厚みより厚い第２の厚みの前記板状部材が用いられる場合、前記突起が前記板状部材の側端面と前記壁面との間に配置される姿勢で前記壁面に固定され、前記狭持面により前記支持部と前記端部を狭持する
ことを特徴とする板状部材の固定構造。
【請求項９】
請求項８に記載の板状部材の固定構造において、
前記において、前記支持部に近接する位置には、前記板状部材の側端面と対向する第１対向面が形成され、前記第１側端面対向面と隣接し、かつ前記第１側端面対向面より前記支持部から離隔する位置には、前記第１側端面対向面より前記板状部材の前記側端面から離れる側に没する収容部が形成され、
前記収容部は、前記第２の厚みの板状部材が用いられる場合、前記第１側端面対向面と、前記突起における前記板状部材の側端面との第２側端面対向面とが面一となるように、前記突起を含む前記押縁の前記一端側を収容することを特徴とする板状部材の固定構造。
【請求項１０】
請求項９に記載の板状部材の固定構造において、
前記押縁の前記対向面において、前記突起は、前記一端側の端から離れた位置にあり、
前記収容部は、
前記第２の厚みの板状部材が用いられる場合に前記突起を収容する第１収容部と、
前記第１収容部より前記板状部材の前記側端面から離れる側に没し、前記第２の厚みの板状部材が用いられる場合、前記押縁において前記突起から前記一端側の部分を収容し、前記第１の厚みの板状部材が用いられる場合、前記押縁の前記対向面の前記他端側を支持する第２収容部と、を備えることを特徴とする板状部材の固定構造。
【請求項１１】
請求項８から請求項１０のいずれかに記載の板状部材の固定構造において、
前記第１の厚みの板状部材が用いられて前記押縁が、前記突起が前記壁面から離隔する姿勢で前記壁面に固定される場合、前記突起は、前記支持部の先端よりも前記壁面側に位置する、または前記先端と前記壁面からの距離が等しい位置にあることを特徴とする板状部材の固定構造。
【請求項１２】
請求項８から請求項１１のいずれかに記載の板状部材の固定構造において、
前記突起の突出量は、前記第１の厚みの板状部材と、前記第２の厚みの板状部材との厚みの差に等しい
ことを特徴とする板状部材の固定構造。
【考案の詳細な説明】
【技術分野】
【０００１】
本考案は、広告装置、押縁、および板状部材の固定構造に関する。
【背景技術】
【０００２】
従来、ビルの壁面等に支持され、広告を表示する上下等に長い広告装置が知られる（例えば、特許文献１）。広告装置は、例えば上下に長い枠状の本体フレームを備える。本体フレーム内部には、蛍光灯やＬＥＤ等の光源が収容される。本体フレームの表側には、枠状の額縁フレームが設けられる。額縁フレームの表面には、額縁フレームの内周壁面から形成される孔を閉塞するように、平面状の広告表示部材が取り付けられる。広告装置の裏側にも同様にして広告表示部材が取り付けられる。これら各広告表示部材は、広告装置内部に収容された光源により、内側から照らすことが可能になっている。
ところで、広告表示部材としては、塩化ビニール製等の広告表示シート、またはアクリル製等の広告表示板が用いられるが、広告表示シートの取付構造と広告表示板の取付構造とは異なる。
【０００３】
以下、図８を参照しながら広告表示板３１の従来の取付構造を説明する。図８は、枠状のフレーム１，２Ｂの中心に沿って広告装置１００Ｂを切断した広告装置１００Ｂの断面図である。
広告装置１００Ｂは、本体フレーム１、額縁フレーム２Ｂ、広告表示板３１、および押縁４１Ｂを備える。
額縁フレーム２Ｂは、枠状に形成され、本体フレーム１の表面側または裏面側に設けられている。額縁フレーム２Ｂにおいて、図８に示す辺は、紙面垂直方向に延びている。枠状の額縁フレーム２Ｂには、額縁フレーム２Ｂの各辺の内周壁面２２から平面視矩形状の孔２１が形成されている。
【０００４】
孔２１を形成する内周壁面２２Ｂにおいて、本体フレーム１に近接する側には、周方向に、かつ額縁フレーム２Ｂの各辺の長手方向（図８紙面垂直方向）に沿って平面視枠状に支持部２３が立設され、本体フレーム１から離隔する側先端には、周方向に、かつ額縁フレーム２Ｂの各辺の長手方向（図８紙面垂直方向）に沿って平面視枠状に突起２４が立設されている。
広告表示板３１は、矩形に形成され、枠状の支持部２３上に周縁部が支持される。
押縁４１Ｂは、長手状に形成され、広告表示板３１の周縁部と突起２４との間に差し込まれた後、額縁フレーム２Ｂに対してネジ止めされることにより、広告表示板３１の周縁部を支持部２３との間で狭持する。
【０００５】
図９は、図８とは異なる厚みの広告表示板３２が用いられた広告装置１００Ｂの断面図である。
広告装置１００Ｂでは、図８の厚い広告表示板３１の他、図９に示す薄い広告表示板３２が用いられる場合がある。薄い広告表示板３２が用いられる場合、本体フレーム１および額縁フレーム２Ｂは、厚い広告表示板３１が用いられる場合と共通の規格のものが用いられ、押縁４１Ｃは、広告表示板３２の厚みが減る分、厚みを増したものが用いられる。
【先行技術文献】
【特許文献】
【０００６】
【特許文献１】特開２００２−２５１１４２号公報
【考案の概要】
【考案が解決しようとする課題】
【０００７】
上述のように、従来は、広告装置１００Ｂの製造に際し、広告表示板３１、３２に対応する厚みの押縁４１Ｂ、４１Ｃが用いられるとともに、いずれの広告表示板３１、３２が用いられるかにかかわらず共通の規格のフレーム１、２Ｂが用いられることで、製造コストの低減が図られていた。しかしながら、市場からは、さらなる製造コストの低減が求められている。
【０００８】
本考案は、製造コストを低減できる広告装置、押縁、および板状部材の固定構造を提供することを目的とする。
【課題を解決するための手段】
【０００９】
本考案の広告装置は、枠状の額縁フレームであって、広告表示板が配置される孔を形成する前記額縁フレームの内周壁面に、前記額縁フレームの中央側に向かって延びて前記広告表示板の周縁部を支持する支持部が立設されている額縁フレームと、長手状に形成されるとともに、前記支持部との対向面において長手方向と直交する第１方向の一端側に突起が形成され、かつ前記対向面において前記第１方向の他端側から前記突起基端までの面により狭持面が形成される押縁とを備え、前記押縁は、第１の厚みの前記広告表示板が用いられる場合、前記突起が前記内周壁面から離隔する姿勢で前記内周壁面に固定され、前記突起により前記支持部と前記周縁部を狭持し、前記第１の厚みより厚い第２の厚みの前記広告表示板が用いられる場合、前記突起が前記広告表示板の側端面と前記内周壁面との間に配置される姿勢で前記内周壁面に固定され、前記狭持面の少なくとも一部により前記支持部と前記周縁部を狭持する。
【００１０】
本考案によれば、押縁の一端側に突起が形成されているので、厚みの異なる広告表示板のいずれを固定するのかに応じて、押縁の向きを、突起が広告表示板の側端面と額縁フレームの孔の内周壁面との間に配置される姿勢、もしくは突起が内周壁面から離隔する姿勢にすることにより、内周壁面において広告表示板と直交する方向における位置を変えることなしに押縁を内周壁面に固定できるとともに、押縁と支持部とにより広告表示板を狭持できる。従って、本考案では、厚みの異なる広告表示板のいずれを用いる場合にも、共通の額縁フレームを用いることが可能なうえに、押縁も共通のものを用いることができるので、製造コストを低減できる。
【００１１】
本考案では、前記内周壁面において、前記支持部に近接する位置には、前記広告表示板の側端面と対向する第１側端面対向面が形成され、前記第１側端面対向面と隣接し、かつ前記第１側端面対向面より前記支持部から離隔する位置には、前記第１側端面対向面より枠状の前記額縁フレームの中心から離れる側に没する収容部が形成され、前記収容部は、前記第２の厚みの広告表示板が用いられる場合、前記第１側端面対向面と、前記突起における前記広告表示板の側端面との第２側端面対向面とが面一となるように、前記突起を含む前記押縁の前記一端側を収容することが好ましい。
この考案によれば、収容部内に突起が収容されることにより、内周壁面の第１側端面対向面と突起の第２側端面対向面とを面一にでき、広告表示板を配置しやすくなる。
【００１２】
本考案では、前記押縁の前記対向面において、前記突起は、前記一端側の端から離れた位置にあり、前記収容部は、前記第２の厚みの広告表示板が用いられる場合に前記突起を収容する第１収容部と、前記第１収容部より前記額縁フレームの中心から離れる側に没し、前記第２の厚みの広告表示板が用いられる場合、前記押縁において前記突起から前記一端側の部分を収容し、前記第１の厚みの広告表示板が用いられる場合、前記押縁の前記対向面の前記他端側を支持する第２収容部と、を備えることが好ましい。
【００１３】
この考案によれば、突起が押縁の一端側の端から離れた位置にあるとともに、収容部が第１，第２収容部を備え、押縁の一端側の形状に対応した形状になっている。そのため、厚みの薄い第２の広告表示板を用いる場合、突起から離隔する側である押縁の他端側を、第２収容部に支持させることができる。従って、この際、押縁は、一端側が突起部により支持され（広告表示板を押圧し）、他端側が第２収容部に支持される状態となるため、押縁を安定した状態で設置できる。
この考案によれば、いずれの広告表示板を用いる場合にも、押縁を設置する際に、一方の端部を第１、第２収容部または第２収容部に突き当てることができるので、押縁の位置決めを精度良く、かつ容易にできる。
【００１４】
本考案では、前記第１の厚みの広告表示板が用いられて前記押縁が、前記突起が前記内周壁面から離隔する姿勢で前記内周壁面に固定される場合、前記突起は、前記支持部の先端よりも前記内周壁面側に位置する、または前記先端と前記内周壁面からの距離が等しい位置にあることが好ましい。
【００１５】
この考案によれば、第１の厚みの広告表示板が用いられる場合、押縁は、突起が支持部と広告表示板を挟んで対向する姿勢で設置されることとなるので、突起により支持部と広告表示板を強固に狭持できる。
【００１６】
本考案では、前記突起の突出量は、前記第１の厚みの広告表示板と、前記第２の厚みの広告表示板との厚みの差に等しいことが好ましい。
この考案によれば、突起の突出量が第１の厚みの広告表示板と第２の厚みの広告表示板との厚みの差に等しいので、薄い広告表示板を用いる際には突起により広告表示板を押圧し、厚い広告表示板を用いる際には、広告表示板の厚みが増す分、該厚みと等しい突出量の突起を用いないようにし、狭持面により広告表示板を押圧するようにすることにより、広告表示板と直交する方向における位置を変えることなしに押縁を内周壁面に固定できる。
【００１７】
本考案の押縁は、枠状の額縁フレームであって、広告表示板が配置される孔を形成する前記額縁フレームの内周壁面に、前記額縁フレームの中央側に向かって延びて前記広告表示板の周縁部を支持する支持部が立設されている額縁フレームを備える広告装置に用いられる押縁であって、長手状に形成されるとともに、前記支持部との対向面において長手方向と直交する第１方向の一端側に突起が形成され、前記押縁は、前記広告装置に第１の厚みの前記広告表示板が用いられる場合、前記突起が前記内周壁面から離隔する姿勢で前記内周壁面に固定され、前記突起により前記支持部と前記周縁部を狭持し、前記広告装置に前記第１の厚みより厚い第２の厚みの前記広告表示板が用いられる場合、前記突起が前記広告表示板の側端面と前記内周壁面との間に配置される姿勢で前記内周壁面に固定され、前記対向面において前記第１方向の他端側から前記突起基端までの面である狭持面の少なくとも一部により、前記支持部と前記周縁部を狭持することを特徴とする。
本考案の押縁は、前記考案の広告装置と同様の構成を備えるので、同様の効果を奏することができる。
【００１８】
本考案の板状部材の固定構造は、壁面に、板状部材の端部を支持する支持部が立設されている第１部材と、前記支持部との対向面において第１方向の一端側に突起が形成され、かつ前記対向面において前記第１方向の他端側から前記突起基端までの面により狭持面が形成される押縁とを備え、前記押縁は、第１の厚みの前記板状部材が用いられる場合、前記突起が前記壁面から離隔する姿勢で前記壁面に固定され、前記突起により前記支持部と前記端部を狭持し、前記第１の厚みより厚い第２の厚みの前記板状部材が用いられる場合、前記突起が前記板状部材の側端面と前記壁面との間に配置される姿勢で前記壁面に固定され、前記狭持面により前記支持部と前記端部を狭持することを特徴とする。
【００１９】
本考案の板状部材の固定構造は、前記考案の広告装置と同様の構成を備えるので、前記考案の広告装置と同様に、厚みの異なる板状部材のいずれを固定するのかに応じて押縁の向きを変えることにより板状部材を狭持できる。従って、本考案のは、厚みの異なる板状部材のいずれを用いる場合にも、第１部材を用いることが可能なうえに、押縁も共通のものを用いることができるので、製造コストを低減できる。
【図面の簡単な説明】
【００２０】
【図１】組み立て式の広告装置を示す斜視である。
【図２】本体フレームの縦断面図である。
【図３】広告装置を図２のＡ−Ａ線に対応する位置で切断した断面図である。
【図４】額縁フレームの断面拡大図である。
【図５】薄い広告表示板が用いられる場合の押縁の取付構造を示す断面図である。
【図６】厚い広告表示板の固定構造を示す断面図である。
【図７】薄い広告表示板の固定構造を示す断面図である。
【図８】従来の広告装置の断面図である。
【図９】薄い広告表示板が用いられた従来の広告装置の断面図である。
【考案を実施するための形態】
【００２１】
以下、本考案の実施形態について図面を参照しながら説明する。
（第１実施形態）
図１は、組み立て式の広告装置１００を示す斜視図である。
広告装置１００は、上下に長い枠状の本体フレーム１と、本体フレーム１内部に設けられる光源９１と、本体フレーム１の表側および裏側に設けられる枠状の額縁フレーム２と、額縁フレーム２に支持される広告表示板３１と、広告表示板３１の周縁部を額縁フレーム２と狭持する枠状の押縁４とを備える。
【００２２】
光源９１としては、蛍光灯やＬＥＤ、有機ＥＬ等を採用できる。
広告表示板３１は、例えばアクリル製であり、矩形に形成される。広告表示板３１には、広告が印刷される。広告表示板３１は、光源９１により内側から照らされることが可能となっている。広告装置１００は、広告表示板として第１の厚みの広告表示板３２（図５）と、第１の厚みより厚い第２の厚みの広告表示板３１（図１）とを用いる際に、共通の規格のフレーム１、２を用いることができるように設計されている。
本実施形態では、まず、広告表示板として、厚みのある第２の厚みの広告表示板３１を用いる場合の装置構成を説明し、次いで、広告表示板３１より薄い第１の厚みの広告表示板３２を用いる場合の装置構成を説明する。
【００２３】
図２は、本体フレーム１の縦断面図である。
本体フレーム１は、側面がアンカー９２により建造物の壁面Ｗに連結される。本体フレーム１は、縦２本、横２本の長手状の本体枠材１１の各端部が相互に連結されることにより枠状に形成される。本体枠材１１は、アルミの押し出し成形材である。本体フレーム１は、横部材１２およびブレース１３により補強される。
【００２４】
図３は、広告装置１００を図２のＡ−Ａ線に対応する位置で切断した断面図である。
本体フレーム１の表側および裏側の面１４、１５には、接続部１６が立設されている。接続部１６は、本体フレーム１の各辺の本体枠材１１にそれぞれ形成される。
額縁フレーム２は、本体フレーム１の表側および裏側に枠状に設けられ、広告表示板３１を支持して広告表示板３１を本体フレーム１の表側および裏側に設ける。額縁フレーム２は、縦２本、横２本の長手状の額縁枠材２０（図３では横の額縁枠材２０のみ図示）の各端部が相互に連結されることにより枠状に形成される。額縁枠材２０は、アルミの押し出し成形材である。額縁枠材２０は、中空状、かつ切断面の外郭形状が矩形状に形成されている。
【００２５】
図４は、額縁フレーム２の断面拡大図である。
額縁フレーム２は、前記４本の額縁枠材２０が連結されることにより枠状に形成される。額縁フレーム２には、各辺の内周壁面２２により、額縁フレーム２を正面側から見た際に（図４中左側から右側を見た際に）矩形状となる孔２１が形成される。孔２１内には、本体フレーム１側から接続部１６が挿入され、該接続部１６が額縁フレーム２側にネジ止めされることにより、額縁フレーム２が本体フレーム１に対して固定される。
【００２６】
孔２１の内周壁面２２において、本体フレーム１側には、額縁フレーム２の各辺（額縁枠材２０）の伸び方向（図４の紙面垂直方向）に沿って支持部２３が立設されている。
内周壁面２２において、支持部２３に近接する位置には、広告表示板３１の側端面３１１と対向する側端面対向面２８（第１側面対向面）が形成されている。側端面対向面２８において、広告表示板３２と直交する方向（図４の左右方向）の長さは、後述する薄い広告表示板３２の厚みと等しくなっている（図５参照）。
【００２７】
内周壁面２２において、側端面対向面２８と隣接し、かつ側端面対向面２８より支持部２３から離隔する位置には、側端面対向面２８より枠状の額縁フレーム２の中心から離れる側に没する第１収容部２５が形成されている。
内周壁面２２において、第１収容部２５より支持部２３から離隔する位置には、第１収容部２５より額縁フレーム２の中心から離れる側に没する第２収容部２６が形成されている。第２収容部２６の支持部２３側、かつ支持部２３と平行な壁面部は、支持壁面部２６１となっている。第２収容部２６の底面２６２には、ネジ穴２６３が形成されている。
第１、第２収容部２５、２６を備えて収容部２７が形成される。
【００２８】
押縁４１は、長手状に形成され、額縁フレーム２の各辺毎に額縁フレーム２に沿って設けられる。押縁４１は、アルミの押し出し成形材であり、中空状、かつ切断面の外郭形状が矩形状に形成されている。
押縁４１は、支持部２３との対向面４３において、長手方向と直交する第１方向（図４中上下方向）の一端側（図４中上側）に突起４４が形成され、かつ対向面４３において第１方向の他端側（図４中下側）から突起４４基端までの面により狭持面４５が形成される。突起４４の突出量は、第１の厚みの広告表示板３２と、第２の厚みの広告表示板３１との厚みの差に等しくなっている。押縁４１の対向面４３と直交する面４６には、ネジ穴４６１が形成されている。
【００２９】
図４に示すように、厚みのある第１の広告表示板３１が用いられる場合、額縁フレーム２の一辺において、押縁４１は、突起４４が形成される一端側が、額縁フレーム２の内周壁面２２に形成された収容部２７に収納される姿勢とされる。具体的に、突起４４が、広告表示板３１の側端面３１１との対向面２５１（第２側面対向面）と、内周壁面２２の側端面対向面２８とが面一となるように第１収容部２５に収容される。また、押縁４１において突起４４から一端側（図４中上端側）の部分が第２収容部２６に収容される。
【００３０】
押縁４１は、このような姿勢で、かつ狭持面４５が広告表示板３１に押し付けられた状態で、内周壁面２２にネジ止めされる。これにより、額縁フレーム２の該辺では、広告表示板３１の周縁部が押縁４１と支持部２３とにより狭持される。このようにして、額縁フレーム２の各辺において押縁４１が設置されることにより、広告表示板３１の周縁部全てが押縁４１と支持部２３とにより狭持され、広告表示板３１の取り付けが完了する。
【００３１】
図５は、薄い広告表示板３２が用いられる場合の押縁４１の取付構造を示す断面図である。
薄い広告表示板３２が用いられる場合、押縁４１は、厚い広告表示板３２が用いられる図４の姿勢とは逆の姿勢とされる。すなわち、押縁４１は、突起４４が内周壁面２２から離隔する姿勢とされる。そして、押縁４１は、この姿勢で突起４４が広告表示板３１に押し付けられるとともに、対向面４３において突起４４が形成されていない他端側（図５中上端側）が第２収容部２６の支持壁面部２６１に支持された状態で内周壁面２２に固定される。
【００３２】
これにより、押縁４１は、内周壁面２２において広告表示板３２と直交する方向（図５の左右方向）における位置を、厚い広告表示板３２が用いられる図４の場合と変わることなしに内周壁面２２に固定される。そして、押縁４１は、突起４４により広告表示板３１の周縁部を支持部２３と狭持する。なお、この際、突起４４は、支持部２３の先端よりも内周壁面２２側に位置するように、または支持部２３の先端と内周壁面２２からの距離が等しい位置にくるように設計されている。
【００３３】
本実施形態では、押縁４１の一端側に突起４４が形成されているので、厚みの異なる広告表示板３１、３２のいずれを固定するのかに応じて、押縁４１の向きを変えることにより、内周壁面２２において広告表示板３２と直交する方向における位置を変えることなしに押縁４１を内周壁面２２に固定でき、押縁４１と支持部２３とにより広告表示板３１、３２を狭持できる。従って、本実施形態では、厚みの異なる広告表示板３１、３２のいずれを用いる場合にも、共通の押縁４１を用いることができ、製造コストを低減できる。
【００３４】
本実施形態では、収容部２７内に突起４４が収容されるので、押縁４１と支持部２３との間の空間において、突起４４の厚みが邪魔にならず、広告表示板３２を配置しやすい。
本実施形態では、突起４４が押縁４１の一端側の端から離れた位置にあるとともに、内周壁面２２に、押縁４１の一端側の形状に対応した第１，第２収容部２５，２６が形成されているので、図５の薄い広告表示板３２を用い、押縁４１を突起４４が内周壁面２２から離隔する姿勢で設置する場合に、押縁４１の他端側を第２収容部２６に支持させることができ、押縁４１を安定した状態で設置できる。また、いずれの広告表示板３１、３２を用いる場合にも、押縁４１を設置する際に、一方の端部を第１、第２収容部２５，２６または第２収容部２６に突き当てることができるので、押縁４１の位置決めを精度良く、かつ容易にできる。
【００３５】
本実施形態では、薄い広告表示板３２が用いられ、押縁４１が、突起４４が内周壁面２２から離隔する姿勢で内周壁面２２に固定される場合、突起４４は、支持部２３の先端よりも内周壁面２２側に位置する、または先端と内周壁面２２からの距離が等しい位置にある。そのため、本実施形態では、突起４４により支持部２３と広告表示板３２を強固に狭持できる。
本実施形態では、突起４４の突出量が、厚い広告表示板３１と薄い広告表示板３２との厚みの差に等しいので、該差により、厚みの異なる広告表示板３１、３２いずれにおいても、向きをかえることで共通の押縁４１により広告表示板３１、３２を強固に固定できる。
【００３６】
（第２実施形態）
図６は、厚い広告表示板３１の固定構造を示す断面図、図７は、薄い広告表示板３２の固定構造を示す断面図である。以下、前記実施形態と同一機能部位には同一符号を付し、その説明を省略する。
本実施形態では、押縁４１Ａの端に突起４４Ａが形成されている点、および内周壁面２２Ａに収容部２７が形成されていない点が前記実施形態と異なる主な点である。
【００３７】
本実施形態では、図６に示すように、厚い広告表示板３１が用いられる場合、押縁４１Ａは、突起４４Ａが内周壁面２２Ａ内に収容されることなく、突起４４Ａが広告表示板３１の側端面３１１と内周壁面２２Ａとの間に配置される姿勢で内周壁面２２Ａに固定される。一方、図７に示すように、薄い広告表示板３２が用いられる場合、押縁４１Ａは、突起４４Ａが内周壁面２２Ａから離隔し広告表示板３２を押圧する姿勢で内周壁面２２Ａに固定される。
【００３８】
本実施形態でも、前記実施形態と同様、厚みの異なる広告表示板３１、３２いずれにおいても、向きをかえることで共通の押縁４１Ａにより広告表示板３１、３２を固定でき、製造コストを低減できる。
【００３９】
上述の各実施形態では、板状部材の固定構造として、広告装置１００、１００Ａにおける広告表示板３１、３２の固定構造を例示した。そして、第１部材として額縁フレーム２、２Ａを例示し、板状部材として広告表示板３１、３２を例示した。しかしながら、板状部材の固定構造は、広告装置１００、１００Ａ以外の適宜の板状部材の固定構造にも適用できる。
【００４０】
上述の各実施形態では、本体フレーム１に対して表側および裏側の両方の額縁フレーム２が開閉可能に設置されている例を示したが、表側または裏側の片側の額縁フレームのみが本体フレームに対して開閉可能に設置されていてもよい。
上述の各実施形態では、広告装置１００、１００Ａは、本体フレーム１内に光源が設けられるタイプのものであったが、広告装置は、本体フレーム内に光源が設けられないタイプのものであってもよい。
【符号の説明】
【００４１】
２…額縁フレーム（第１部材）、２１…孔、２２…内周壁面、２３…支持部、２５…第１収容部、２６…第２収容部、２７…収容部、３１…第２の厚みの広告表示板（第２の厚みの板状部材）、３２…第１の厚みの広告表示板（第１の厚みの板状部材）、４３…押縁の対向面、４４…突起、４５…狭持面、１００…広告装置、３１１…広告表示板の側端面。
【図１】
0003172830.tif 000003
【図２】
0003172830.tif 000004
【図３】
0003172830.tif 000005
【図４】
0003172830.tif 000006
【図５】
0003172830.tif 000007
【図６】
0003172830.tif 000008
【図７】
0003172830.tif 000009
【図８】
0003172830.tif 000010
【図９】
0003172830.tif 000011